(57)【特許請求の範囲】
【請求項１】
ガスタービン（２）の煙道ガス側に後置接続され、加熱面が蒸気タービン（２０）の水・蒸気循環路（２４）に接続されている廃熱蒸気発生器（３０）と、ガスタービン（２）の燃焼室（６）に燃料配管（１３０）を介して前置接続された燃料（Ｂ）の気化装置（１３２）とを備え、燃料配管（１３０）に、気化した燃料（ＳＧ）を飽和器循環路（１５２）を導かれる水流（Ｗ）に対して逆方向に導く飽和器（１５０）が接続され、この水流（Ｗ）を加熱するために二次側を飽和器循環路（１５２）に接続された飽和器水熱交換器（１８４）の一次側が蒸気タービン（２０）の水・蒸気循環路（２４）から取り出された給水（Ｓ）を受け、飽和器水熱交換器（１８４）において冷却された給水（Ｓ）が圧縮された空気の部分流（Ｔ）により加熱され、この圧縮された空気の部分流（Ｔ）が気化装置（１３２）に前置接続された空気分解装置（１３８）に供給されるガス・蒸気タービン複合設備（１）。
【請求項２】
気化装置（１３２）に空気分解装置（１３８）から酸素（Ｏ2）が供給され、この空気分解装置は入口側にガスタービン（２）に付設された空気圧縮器（４）において圧縮された空気の部分流（Ｔ）を受け、圧縮された空気の部分流（Ｔ）の冷却のために空気圧縮器（４）を空気分解装置（１３８）に接続する抽気配管（１４０）に別の熱交換器（１９０）の一次側が接続され、この熱交換器の二次側は、その一方の入口側給水配管（１８８）が前記飽和器水熱交換器（１８４）の一次側に接続され、他方の出口側給水配管（１８８）が前記廃熱蒸気発生器（３０）に付設された給水タンク（４６）に接続されている請求項１に記載のガス・蒸気タービン複合設備（１）。
【請求項３】
前記飽和器水熱交換器（１８４）の二次側に接続される給水配管（１５８）が水流（Ｗ）の流れ方向に見て飽和器水熱交換器（１８４）の前で飽和器循環路（１５２）に合流している請求項１又は２に記載のガス・蒸気タービン複合設備（１）。
【発明の詳細な説明】
【０００１】
この発明は、ガスタービンの煙道ガス側に後置接続され、加熱面が蒸気タービンの水・蒸気循環路に接続されている廃熱蒸気発生器と、ガスタービンの燃焼室に燃料配管を介して前置接続された燃料の気化装置とを備え、この燃料配管に、気化した燃料を飽和器循環路を導かれる水流に対して逆方向に導く飽和器が接続されているガス・蒸気タービン複合設備に関する。
【０００２】
化石燃料を集積して気化するガス・蒸気タービン複合設備は、通常、出口側がガス浄化のために設けられている多数の機器要素を介してガスタービンの燃焼室に接続されている燃料気化装置を備えている。ガスタービンにはその煙道ガス側に、加熱面が蒸気タービンの水・蒸気循環路に接続されている廃熱蒸気発生器が後置接続されている。このような設備は例えば英国特許出願公開第２２３４９８４号明細書により公知である。
【０００３】
気化された化石燃料の燃焼の際に放出される有害物質を削減するために、この設備においては気化装置とガスタービンの燃焼室との間の燃料配管に、気化された燃料に水蒸気を与ええる飽和器が接続されている。このために、気化された燃料はこの飽和器を、飽和器循環路とも呼ばれる水循環路を導かれる水流に対して逆方向に貫流する。気化された燃料に水蒸気を与えるために充分な温度レベルを飽和器に設定するために、抽気の冷却及び／又は燃料気化からの生ガスの冷却により飽和器循環路に熱を導入することが行われる。
【０００４】
この設備において飽和器の運転はしかしながら気化装置の運転状態及び／又は気化装置に前置接続されている空気分解装置の運転状態に関係しているので、この構想は限られた柔軟性しか持っていない。その上、このような構想は制御に関して比較的コストもかかり、従って故障しやすい。
【０００５】
米国特許第５３１９９２４号明細書により、飽和器に供給される給水を、清浄化されていない生ガスが一次側に与えられる熱交換器において予熱することが公知である。さらに、ドイツ特許第４３２１０８１号明細書からは、燃料加湿器として構成され、飽和器水を予熱するために一次側に給水を与えられる熱交換器が設けられている飽和器が公知である。
【０００６】
この発明の課題は、それ故、いかなる運転状態においても特に簡単に飽和器の信頼性のある運転を可能にする上記の種類のガス・蒸気タービン複合設備を提示することにある。
【０００７】
この課題は、この発明によれば、水流を加熱するために二次側を飽和器循環路に接続された飽和器水熱交換器の一次側が蒸気タービンの水・蒸気循環路から取り出された給水を受け、飽和器循環路において冷却された給水が圧縮された空気の部分流により加熱され、この圧縮された空気の部分流が気化装置に前置接続された空気分解装置に供給されることにより解決される。
【０００８】
この発明は、飽和器が気化装置及び空気分解装置の運転パラメータに無関係に運転可能であることにより、いかなる運転状態においても飽和器の確実な運転が、従ってガス・蒸気タービン複合設備の特に高い柔軟性が実現される、という考えから出発している。その場合、特に飽和器循環路への熱導入は直接、気化装置から流出する媒体を介して或いは空気分解装置に向かって流れる抽気を介しては行われない。その代わりに、むしろ、飽和器循環路への熱導入は蒸気タービンの水・蒸気循環路から取り出された媒体を介して行われ、その際、一方では気化装置及び／又は空気分解装置に対する、他方では飽和器に対する運転パラメータは互いに無関係に設定可能である。これらの機器要素の運転に必要な制御装置はそれ故比較的簡単に構成することができる。
【０００９】
特に有利な構成においては気化装置には空気分解装置から酸素が供給される。この空気分解装置の入口側にはガスタービンに付設された空気圧縮器において圧縮された空気の部分流が与えられ、その際圧縮された空気の冷却のために空気圧縮器を空気分解装置に接続する抽気配管に別の熱交換器の一次側が接続され、この熱交換器の二次側は、その一方の入口側給水配管が前記飽和器水熱交換器の一次側に接続され、他方の出口側給水配管が前記廃熱蒸気発生器に付設された給水タンクに接続する給水配管に接続されている。このような配置により特に高い設備効率が保証される。飽和器水熱交換器に向かって流れる給水は飽和器循環路を導かれる水流に熱導入する際に先ず冷却される。この冷却された給水は飽和器水循環路に給水側に後置接続された別の熱交換器において再加熱され、同時に、空気分解装置に向かって流れる圧縮された空気の部分流（抽気とも呼ばれる）の冷却が行われる。それ故に、特に高い熱回収のために抽気流からの熱が蒸気タービンの水・蒸気循環路へ導入される。
【００１０】
飽和器循環路を導かれた水流の損失、例えば飽和器における気化した燃料に水蒸気を与えることによる損失を補償するために、飽和器循環路には給水配管が合流するのがよく、その場合、飽和器循環路への給水配管の合流位置は、特に高い設備効率のために、特に有利な構成においては水流の流れの方向に見て飽和器水熱交換器の前におかれる。このような構成の場合、給水から飽和器循環路を流れる水流への特に大きい熱伝達が保証される。給水はそれ故特に低い温度で飽和器水熱交換器から流出するので、特に抽気冷却のために冷却された給水を使用する場合には特に有効な抽気冷却が可能となる。
【００１１】
この発明により得られる利点は、特に、蒸気タービンの水・蒸気循環路から取り出された給水を介して飽和器循環路に熱導入することにより気化装置の運転状態とは無関係に飽和器の確実な運転が可能である、ということにある。それ故、特にガスタービンも所定のパラメータ限界内で気化装置の運転状態に無関係に運転される。熱導入に対するこのような構想は、それ故、特にフレキシブルで、特にまた集積構想に無関係に、即ち空気分解装置の空気供給の方式に、そしてその際使用される機器に無関係に適用可能である。その上、水流への熱伝達により冷却された給水を空気分解装置のための抽気を冷却するために使用することにより、設備の特に高い効率が保証される。
【００１２】
この発明の１つの実施例を図面に基づいて説明する。図はガス・蒸気タービン複合設備を示す。
【００１３】
図のガス・蒸気タービン複合設備１はガスタービン設備１ａ及び蒸気タービン設備１ｂからなる。ガスタービン設備１ａは、ガスタービン２、これに結合された空気圧縮器４及びガスタービン２に前置接続された燃焼器６を有し、この燃焼器６は空気圧縮器４の圧縮空気配管８に接続されている。ガスタービン２及び空気圧縮器４並びに発電機１０は１つの共通軸１２に連結されている。
【００１４】
蒸気タービン設備１ｂは、蒸気タービン２０、これに結合された発電機２２及び水・蒸気循環路２４において蒸気タービン２０に後置接続された復水器２６並びに廃熱蒸気発生器３０を備えている。蒸気タービン２０は第一圧力段或いは高圧部２０ａ、第二圧力段或いは中圧部２０ｂ並びに第三圧力段或いは低圧部２０ｃからなり、これらは１つの共通軸３２を介して発電機２２を駆動している。
【００１５】
ガスタービン２において膨張した作動媒体ＡＭ或いは煙道ガスを廃熱蒸気発生器３０に供給するために、排ガス配管３４が廃熱蒸気発生器３０の入口３０ａに接続されている。ガスタービン２からの膨張した作動媒体ＡＭは廃熱蒸気発生器３０の出口３０ｂを介して詳細に図示されていない煙突の方向に離れる。
【００１６】
廃熱蒸気発生器３０は復水予熱器４０を備え、この復水予熱器の入口側には、復水ポンプ４４が接続されている復水配管４２を介して、復水器２６から復水Ｋが供給されている。復水予熱器４０の出口側は配管４５を介して給水タンク４６に接続されている。なお、復水予熱器４０を必要に応じて迂回させるために、復水配管４２は図示していない迂回配管を介して直接給水タンク４６に接続することができる。給水タンク４６は配管４７を介して中圧抽出部を備えた高圧給水ポンプ４８に接続されている。
【００１７】
高圧給水ポンプ４８は給水タンク４６から流出する給水Ｓを、蒸気タービン２０の高圧部に付設された水・蒸気循環路２４の高圧段５０に適した圧力レベルにする。高圧下にある給水Ｓは高圧段５０に給水予熱器５２を介して供給可能である。この給水予熱器の出口側は弁５４で閉鎖可能な給水配管５６を介して高圧ドラム５８に接続されている。この高圧ドラム５８は、廃熱蒸気発生器３０に配置され、水・蒸気循環路６２を形成する高圧蒸発器６０と接続されている。生蒸気Ｆを排流させるために、高圧ドラム５８は廃熱蒸気発生器３０に配置された高圧過熱器６４に接続されている。この高圧過熱器６４の出口側は蒸気タービン２０の高圧部２０ａの蒸気入口６６に接続されている。
【００１８】
蒸気タービン２０の高圧部２０ａの蒸気出口６８は再熱器７０を介して蒸気タービン２０の中圧部２０ｂの蒸気入口７２に接続されている。その蒸気出口７４はオーバーフロー配管７６を介して蒸気タービン２０の低圧部２０ｃの蒸気入口７８に接続されている。蒸気タービン２０の低圧部２０ｃの蒸気出口８０は蒸気配管８２を介して復水器２６に接続されているので、閉じた水・蒸気循環路２４が生ずる。
【００１９】
高圧供給ポンプ４８から、復水Ｋが中圧に達する抽出位置において分岐管８４が分岐している。この分岐管は別の給水予熱器８６或いは中圧エコノマイザを介して、蒸気タービン２０の中圧部２０ｂに付設された水・蒸気循環路の中圧段９０に接続されている。この第２の給水予熱器８６はこのために出口側で弁９２で閉鎖可能な給水配管９４を介して中圧段９０の中圧ドラム９６に接続されている。中圧ドラム９６は、廃熱蒸気発生器３０に配置され、水・蒸気循環路１００を形成し、中圧蒸発器として形成された加熱面９８に接続されている。中圧生蒸気Ｆ’を排出するために中圧ドラム９６は蒸気配管１０２を介して再熱器７０に、それ故、蒸気タービン２０の中圧部２０ｂの蒸気入口７２に接続されている。
【００２０】
配管４７からは、低圧給水ポンプ１０７を備え弁１０８で閉鎖される配管１１０が分岐し、この配管は蒸気タービン２０の低圧部２０ｃに付設された水・蒸気循環路２４の低圧段１２０に接続されている。この低圧段１２０は低圧ドラム１２２を備え、このドラムは、廃熱蒸気発生器３０に配置されかつ低圧蒸発器として形成された加熱面１２４に接続され、水・蒸気循環路１２６を形成している。低圧生蒸気Ｆ”を排出するために、低圧ドラム１２２は、低圧過熱器１２９が接続されている蒸気配管１２８を介してオーバーフロー配管７６に接続されている。ガス・蒸気タービン複合設備１の水・蒸気循環路２４はこの実施例ではそれ故３つの圧力段５０、９０、１２０を備えている。しかしまた、これに代わって、これより少数の、特に２つの圧力段を設けることもできる。
【００２１】
ガスタービン設備１ａは、化石燃料Ｂを気化することにより作られる気化した合成ガスＳＧで運転するように設計されている。合成ガスとして例えば気化された石炭或いは気化された石油を使用することもできる。このためにガスタービン２の燃焼室６は入口側に燃料配管１３０を介して気化装置１３２に接続されている。この気化装置１３２には供給系１３４を介して化石燃料Ｂとして石炭或いは石油が供給される。
【００２２】
化石燃料Ｂの気化に必要な酸素Ｏ2を用意するために、気化装置１３２には酸素配管１３６を介して空気分解装置１３８が前置接続されている。この空気分解装置１３８は入口側に空気圧縮器４で圧縮された空気の部分流Ｔが送られる。このために空気分解装置１３８は入口側が抽気配管１４０に接続され、この配管は分岐位置１４２において圧縮空気配管８から分岐している。抽気配管１４０には別の空気配管１４３が合流しており、これには付加的な空気圧縮器１４４が接続されている。この実施例では、それ故、空気分解装置１３８に向かって流れる全体の空気流Ｌは圧縮空気配管８から分岐した部分流Ｔと付加的な空気圧縮器１４４から送り込まれる空気流とからなる。このような回路構想を部分集合形設備構想と呼ぶ。これに代わる構成、いわゆる全集合形設備構想では別の空気配管１４３も付加的な空気圧縮器１４４もともに省略されるので、空気分解装置１３８に空気を供給するのは完全に圧縮空気配管８から取り出された部分流Ｔを介して行われる。
【００２３】
空気分解装置１３８において空気流Ｌを分解する際に酸素Ｏ2の他に得られた窒素Ｎ2は空気分解装置１３８に接続された窒素配管１４５を介して混合装置１４６に供給され、そこで合成ガスＳＧに混合される。この混合装置１４６は、その場合、窒素Ｎ2と合成ガスＳＧとの特に一様な、むらのない混合が行われるように形成されている。
【００２４】
気化装置１３２から流出する合成ガスＳＧは燃料配管１３０を介して先ず生ガス廃熱蒸気発生器１４７に達し、そこで流れ媒体との熱交換により合成ガスＳＧの冷却が行われる。この熱交換の際に得られた高圧蒸気は、図示されていない方法で水・蒸気循環路２４の高圧部５０に供給される。
【００２５】
合成ガスＳＧの流れ方向に見て、生ガス廃熱蒸気発生器１４７の後ろで、かつ混合装置１４６の前に、燃料配管１３０に合成ガスＳＧの脱塵装置１４８及び脱硫装置１４９が接続されている。これに代わる構成として、脱塵装置１４８の代わりに、特に燃料として石油を気化する場合には、煤洗浄装置を設けることもできる。
【００２６】
気化された燃料が燃焼室６において燃焼する際に有害物質の放出が特に少なくなるようにするため、気化された燃料が燃焼室６に入る前にこれに水蒸気が加えられる。これは飽和器系において熱力学的に特に有利な方法で行われる。このために燃料配管１３０には飽和器１５０が接続されている。この飽和器では気化された燃料は飽和器水とも呼ばれる加熱された水流Ｗに対して逆方向に導かれている。飽和器水或いは水流Ｗは、その場合、飽和器１５０に接続され循環ポンプ１５４が接続されている飽和器循環路１５２を循環する。気化された燃料の飽和の際に飽和器水の損失を補償するために飽和器循環路１５２には給水配管１５８が接続されている。
【００２７】
合成ガスＳＧの流れ方向に見て飽和器１５０の後ろに、燃料配管１３０には生ガス・混合ガス熱交換器として働く熱交換器１５９の二次側が接続されている。この熱交換器１５９の一次側は脱塵装置１４８の前の位置において同様に燃料配管１３０に接続されているので、脱塵装置１４８に向かって流れる合成ガスＳＧはその熱の一部を飽和器１５０から流出する合成ガスＳＧに伝達する。合成ガスＳＧを脱硫装置１４９に入る前に熱交換器１５９を介して導くことは他の構成機器に関して変更された回路構想においても行うことができる。特に、煤洗浄装置を接続する場合、熱交換器は生ガス側で煤洗浄装置の下流側に配置するのがよい。
【００２８】
飽和器１５０と熱交換器１５９との間には燃料配管１３０に別の熱交換器１６０の二次側が接続されている。この熱交換器の一次側は給水或いはまた蒸気で加熱される。生ガス・純ガス熱交換器として形成されている熱交換器１５９及び熱交換器１６０により、その場合、ガスタービン２の燃焼室６に向かって流れる合成ガスＳＧの特に確実な予熱がガス・蒸気タービン複合設備１のいかなる運転状態においても保証される。
【００２９】
燃焼室６に向かって流れる合成ガスＳＧに必要に応じて蒸気を加えるために、燃料配管１３０にはさらに別の混合装置１６１が接続されている。この混合装置には図示していない蒸気配管を介して中圧蒸気が、特に運転障害の場合でもガスタービンの確実な運転を確保するために供給される。
【００３０】
空気分解装置１３８に供給される圧縮空気の部分流Ｔ（抽気とも呼ばれる）を冷却するために、抽気配管１４０には熱交換器１６２の一次側が接続されている。この熱交換器の二次側は流れ媒体Ｓ’の中圧蒸発器として形成されている。熱交換器１６２は蒸発器循環路を形成するために中圧ドラムとして形成されている水・蒸気ドラム１６４に接続されている。この水・蒸気ドラム１６４は配管１６６、１６８を介して水・蒸気循環路１００に付設された中圧ドラム９６に接続されている。或いはまた熱交換器１６２の二次側を直接中圧ドラムに接続することもできる。この実施例の場合、水・蒸気ドラム１６４は中圧蒸発器として形成されている加熱面９８に間接的に接続されている。蒸発した流れ媒体Ｓ’を補給するために、水・蒸気ドラム１６４に給水配管１７０が接続されている。
【００３１】
圧縮された空気の部分流Ｔの流れ方向に見て熱交換器１６２の後に、抽気配管１４０には別の熱交換器１７２が接続され、その二次側は流れ媒体Ｓ’’の低圧蒸発器として形成されている。この熱交換器１７２は、その場合、蒸発器循環路１７４を形成するために低圧ドラムとして形成されている水・蒸気ドラム１７６に接続されている。この実施例では、水・蒸気ドラム１７６は配管１７８，１８０を介して水・蒸気循環路１２６に付設された低圧ドラム１２２に接続され、それにより、低圧蒸発器として形成されている加熱面１２４に間接的に接続されている。或いはまた水・蒸気ドラム１７６は他の適当な方法で接続することもできる。その場合、水・蒸気ドラム１７６から抽出された蒸気は二次負荷にプロセス蒸気及び／又は加熱蒸気として供給可能である。さらに異なる構成において、熱交換器１７２の二次側を直接低圧ドラム１２２に接続することもできる。水・蒸気ドラム１７６はさらに給水配管１８２に接続されている。
【００３２】
蒸発器循環路１６３、１７４はそれぞれ強制循環路として形成され、流れ媒体Ｓ’もしくはＳ”の循環は循環ポンプによって保証されている。その場合、流れ媒体Ｓ’、Ｓ”はそれぞれ蒸発器として形成されている熱交換器１６２及び１７２において少なくとも部分的に蒸発する。この実施例では、しかしながら、蒸発器循環路１６３もまた蒸発器循環路１７４もそれぞれ自然循環路として形成され、その際流れ媒体Ｓ’もしくはＳ”の循環は蒸発プロセスにおいて生ずる圧力差及び／又はそれぞれの熱交換器１６２もしくは１７２及びそれぞれの水・蒸気ドラム１６４もしくは１７２の位置の適切な配置により保証されている。この構成においては蒸発器循環路１６３もしくは蒸発器循環路１７４にそれぞれただ１つの（図示されていない）比較的寸法の小さい循環ポンプがこのシステムを始動させるために接続されている。
【００３３】
飽和器循環路１５２に熱を供給するために、従って合成ガスＳＧに蒸気を与えるのに充分な温度レベルを水流Ｗに設定するために、飽和器水熱交換器１８４が設けられ、この熱交換器はその一次側に給水タンク４６からの給水Ｓを受ける。このために飽和器水熱交換器１８４の一次側の入口側が配管１８６を介して分岐配管８４に、出口側が配管１８８を介して給水タンク４６に接続されている。飽和器水熱交換器１８４の二次側は水流Ｗの流れの方向に見て給水配管１５８の飽和器循環路１５２への合流口の後ろに接続されている。
【００３４】
水流Ｗを必要に応じて付加的に加熱するために、この実施例では飽和器循環路１５２に補助熱交換器１８９が設けられている。この補助熱交換器１８９はその一次側に予熱された給水を水・蒸気循環路２４の中圧段９０から受けている。この補助熱交換器１８９はしかしながら予め定められた排出値及び／又は燃焼温度に応じて省略することもできる。
【００３５】
飽和器水熱交換器１８４から流出する冷却された給水Ｓの再加熱のために、配管１８８には別の熱交換器１９０が接続されている。この熱交換器の一次側は抽気配管１４０において熱交換器１７２に後置接続されている。このような構成により抽気から特に高い熱回収が、従ってガス・蒸気タービン複合設備１の特に高い効率が得られる。
【００３６】
部分流Ｔの流れ方向に見て熱交換器１７２と熱交換器１９０の間で、抽気配管１４０から冷却空気配管１９２が分岐し、これを介してガスタービン２に冷却された部分流Ｔの部分流Ｔ’が冷却空気としてタービンの羽根の冷却に供給される。
【００３７】
飽和器水熱交換器１８４に蒸気タービン２０の水・蒸気循環路２４からの給水Ｓを与えることにより、飽和器１５０は空気分解装置１３８の運転状態に無関係に確実に運転される。ガス・蒸気タービン複合設備１の全体効率は、特に、飽和器水熱交換器１８４において冷却された給水Ｓの再加熱が付加的な熱交換器１９０において行われることによってさらに良くなる。なお、その場合、抽気として空気分解装置１３８に向かって流れる部分流Ｔの最終温度の確実な設定が、この中に導かれる熱をガス・蒸気タービン複合設備１のエネルギー発生プロセスのために同時に再生しながら保証される。
【図面の簡単な説明】
【図１】  この発明によるガス・蒸気タービン複合設備を示す概略図。
【符号の説明】
１        ガス・蒸気タービン複合設備
１ａ      ガスタービン設備
１ｂ      蒸気タービン設備
２        ガスタービン
４        空気圧縮器
６        燃焼室
８        圧縮空気配管
１０      発電機
１２      駆動軸
２０      蒸気タービン
２０ａ    蒸気タービンの高圧部
２０ｂ    蒸気タービンの中圧部
２０ｃ    蒸気タービンの低圧部
２２      発電機
２４      水・蒸気循環路
２６      復水器
３０      廃熱蒸気発生器
３２      駆動軸
３４      排ガス配管
４０      復水予熱器
４４      復水ポンプ
４６      給水タンク
４８      高圧給水ポンプ
５０      高圧段
５２      給水予熱器
５８      高圧ドラム
６０      高圧蒸発器
６４      高圧再熱器
７０      再熱器
７６      オーバーフロー配管
８６      給水予熱器
９０      中圧段
９６      中圧ドラム
９８      加熱面
１００    水・蒸気循環路
１０７    低圧給水ポンプ
１２０    低圧段
１２２    低圧ドラム
１２４    加熱面
１２９    低圧再熱器
１３０    燃料配管
１３２    気化装置
１３８    空気分解装置
１４０    抽気配管
１４４    空気圧縮器
１４８    脱塵装置
１４９    脱硫装置
１５０    飽和器
１５２    飽和器循環路
１５４    循環ポンプ
１５８    給水ポンプ
１８４    飽和器循環路
１８８    給水配管
１９０    熱交換器
ＡＭ      作動媒体
Ｂ        燃料
Ｆ        生蒸気
Ｋ        復水
Ｓ        給水
ＳＧ      合成ガス
Ｔ        部分流
Ｗ        水流
【図１Ａ】
0004390391.tif 000002
【図１Ｂ】
0004390391.tif 000003